(57)【要約】【課題】  所定の用紙収納部に収納された用紙に対する複数の調整項目のうち、調整値が設定された調整項目があるか否かを表示することについては検討がされていない。そのため、所定の用紙に対する複数の調整値のうち、調整値が設定された調整項目を視覚的に意識することができない。【解決手段】  複数の調整項目のうち、記憶手段によって記憶された調整値が初期設定から変更された調整値である調整項目を取得する取得手段を有し、表示手段は、取得手段によって取得された調整項目を強調して表示する。【選択図】  図１２
2019010813.tif 000002
【特許請求の範囲】
【請求項１】
用紙が収納された用紙収納部を表示する表示手段と、
前記用紙収納部に収納された用紙を使って出力される印刷物の仕上がりを調整する複数の調整項目の調整値と、前記複数の調整項目の初期設定とを記憶する記憶手段と、
を有する印刷制御装置であって、
前記複数の調整項目のうち、前記記憶手段によって記憶された調整値が前記初期設定から変更された調整値である調整項目を取得する取得手段を有し、
前記表示手段は、前記取得手段によって取得された調整項目を強調して表示することを特徴とする印刷制御装置。
【請求項２】
前記表示手段は、前記用紙収納部が指示されることに従って前記取得手段によって取得された調整項目を表示することで前記取得手段によって取得された調整項目を強調することを特徴とする請求項１に記載の印刷制御装置。
【請求項３】
前記表示手段は、前記用紙収納部を含む複数の用紙収納部を表示し、
前記表示手段は、前記用紙収納部が指示されることに従って、前記用紙収納部に収納された用紙と同一の用紙属性である用紙が収納された別の用紙収納部の前記取得手段によって取得された調整項目と、前記用紙収納部の前記取得手段によって取得された調整項目とを、表示することで前記取得手段によって取得された調整項目を強調することを特徴とする請求項２に記載の印刷制御装置。
【請求項４】
前記記憶手段は、前記用紙収納部に収納された用紙のサイズや坪量の用紙属性を記憶し、
前記表示手段は、前記取得手段によって取得された調整項目、前記用紙属性および前記用紙収納部の表示を関連付けて表示することを特徴とする請求項１乃至３のいずれか１項に記載の印刷制御装置。
【請求項５】
メッセージフィールドを有し、
前記表示手段は、前記取得手段によって取得された調整項目を前記メッセージフィールドに表示することで前記取得手段によって取得された調整項目を強調することを特徴とする請求項１に記載の印刷制御装置。
【請求項６】
前記表示手段は、前記取得手段によって取得された調整項目の項目名の表示を、前記取得手段によって取得されなかった調整項目の項目名と異なる表示にすることで前記取得手段によって取得された調整項目を強調することを特徴とする請求項１乃至５のいずれか１項に記載の印刷制御装置。
【請求項７】
前記取得された調整項目の少なくとも一部を非表示にすることが可能な画面開閉手段と、
前記画面開閉手段が、前記取得手段によって取得された調整項目を除く調整項目の少なくとも一部を非表示にする閉状態と、前記取得手段によって取得された調整項目を除く調整項目を表示する開状態と、を切り替える切り替え手段と、を有し、
前記画面開閉手段が、前記閉状態となることで前記取得手段によって取得された調整項目を強調することを特徴とする請求項１乃至５のいずれか１項に記載の印刷制御装置。
【請求項８】
前記表示手段において前記複数の調整項目は行列状にリスト形式で表示され、
前記リスト形式で表示された前記複数の調整項目のうち、前記取得手段によって取得された調整項目は前記行列の上位に表示されることを特徴とする請求項５乃至７のいずれか１項に記載の印刷制御装置。
【請求項９】
前記記憶手段によって記憶された調整値と、前記初期設定とを比較する比較手段を有し、
前記取得手段は、前記比較手段によって比較結果に基づき、前記記憶手段によって記憶された調整値が前記初期設定から変更された調整値である調整項目を取得することを特徴とする請求項１乃至８のいずれか１項に記載の印刷制御装置。
【請求項１０】
前記取得手段によって取得された調整項目を表示するか、非表示にするかの設定を受け付ける表示受付手段を有し、
前記用紙収納部が指示されることに従って、前記取得手段によって取得された調整項目に含まれる前記表示受付手段において非表示にする設定を受け付けた調整項目を前記表示手段において非表示にすることを特徴とする請求項１乃至９のいずれか１項に記載の印刷制御装置。
【請求項１１】
前記取得手段によって取得された調整項目を前記表示手段によって表示する際の表示の並び順の設定を受け付ける並び受付手段を有し、
前記用紙収納部が指示されることに従って、前記取得手段によって取得された調整項目が前記表示手段によって表示される際の表示の並び順を、前記並び受付手段によって受け付けた並び順に設定にすることを特徴とする請求項１乃至１０のいずれか１項に記載の印刷制御装置。
【請求項１２】
用紙が収納された用紙収納部を表示する表示工程と、
前記用紙収納部に収納された用紙を使って出力される印刷物の仕上がりを調整する複数の調整項目の調整値と、前記複数の調整項目の初期設定とを記憶する記憶工程と、
を有する印刷制御装置の制御方法であって、
前記複数の調整項目のうち、前記記憶工程によって記憶された調整値が前記初期設定から変更された調整値である調整項目を取得する取得工程を有し、
前記表示工程が、前記取得工程によって取得された調整項目を強調して表示することを特徴とする印刷制御装置の制御方法。
【請求項１３】
請求項１２に記載の印刷制御装置の制御方法を、コンピュータに実行させるためのプログラム。
【請求項１４】
請求項１３に記載のプログラムを保存したコンピュータで読み取り可能な記憶媒体。
【発明の詳細な説明】
【技術分野】
【０００１】
本発明は、印刷制御装置、印刷制御装置の制御方法、プログラムおよび記録媒体に関する。
【背景技術】
【０００２】
印刷装置は、用紙が収納された用紙デッキや手差しトレイ、用紙カセット等の複数の用紙収納部を有する。印刷装置は、用紙サイズ、坪量、コート紙や上質紙などの用紙属性が異なる用紙を使用して印刷することが可能であり、印刷を行う際には所定の用紙に対して、印刷物の仕上がりを調整する複数の調整項目の設定を行う。
【０００３】
そして印刷装置の操作部において、用紙収納部を示すボタンをクリックして用紙情報表示画面を開くことで給紙デッキや手差しトレイ等の用紙収納部に収納された用紙の用紙属性および調整項目の設定を含む用紙情報を表示する方法が知られている。
【０００４】
特許文献１では、画像位置調整を行うにあたって、１つの画面に表示された複数の給紙段の各々が画像位置調整を行う必要があるか否か表示をしている。そして、ユーザが調整ページプリントキーを押すことで調整画面が開き、調整画面には複数の給紙段の各々に収納された用紙に対する現在の画像位置調整の設定の有無と、有の場合には具体的な調整値が表示される。
【先行技術文献】
【特許文献】
【０００５】
【特許文献１】特開２００９−１２２５６号公報
【発明の概要】
【発明が解決しようとする課題】
【０００６】
ユーザによっては、例えば所定の用紙に対する複数の調整項目における、過去の調整を使用したいときや、過去の調整を用いて再び調整を行いたい場合がある。このような場合にユーザは、所定の用紙に対する複数の調整項目のうち調整された調整項目としてどのような項目があるかを容易に認識するために、所定の用紙に対する複数の調整項目のうち、調整された調整項目を取得して表示したい場合がある。
【０００７】
特許文献１では、用紙収納部に収納された用紙に対する複数の調整項目の一つである画像位置調整の、複数の用紙収納部の各々における調整の有無を表示している。しかし、所定の用紙に対する複数の調整項目のうち、調整値が設定された調整項目があるか否かを表示することについては検討がされていない。そのため、所定の用紙に対する複数の調整値のうち、調整値が設定された調整項目を視覚的に意識することができない。
【０００８】
本発明の印刷制御装置はこのような課題に鑑み、用紙収納部に収納された用紙に対する複数の調整項目のうち、初期設定から調整値が変更された調整項目を視覚的に意識できるような表示画面をユーザに提供することを目的とする。
【課題を解決するための手段】
【０００９】
本発明は、用紙が収納された用紙収納部を表示する表示手段と、用紙収納部に収納された用紙を使って出力される印刷物の仕上がりを調整する複数の調整項目の調整値と、複数の調整項目の初期設定とを記憶する記憶手段と、を有する印刷制御装置であって、複数の調整項目のうち、記憶手段によって記憶された調整値が初期設定から変更された調整値である調整項目を取得する取得手段を有し、表示手段は、取得手段によって取得された調整項目を強調して表示することを特徴とする。
【発明の効果】
【００１０】
本発明の印刷制御装置は、所定の用紙収納部に収納された用紙に対する複数の調整項目のうち、調整値が設定された調整項目を取得して表示し、所定の用紙に対して調整値が設定された調整項目を視覚的に意識することが可能な表示画面をユーザに提供することが可能である。
【図面の簡単な説明】
【００１１】
【図１】画像形成システムの構成を示すブロック図
【図２】印刷装置のハードウェア構成を示すブロック図
【図３】印刷制御装置のハードウェア構成を示すブロック図
【図４】印刷制御装置のソフトウェア構成を示すブロック図
【図５】印刷装置のソフトウェア構成を示すブロック図
【図６】用紙管理アプリケーションの画面を示す図
【図７】用紙管理アプリケーションの起動時のフローチャート
【図８】印刷装置の起動時のフローチャート
【図９】用紙管理アプリケーションの画面を示す図
【図１０】用紙管理アプリケーションの画面を示す図
【図１１】調整項目の表示の設定画面を示す図
【図１２】用紙収納部に収納された用紙の用紙情報の表示フローチャート
【図１３】用紙管理アプリケーションの画面を示す図
【図１４】調整項目の並び順の設定画面を示す図
【図１５】用紙収納部に収納された用紙の用紙情報の表示フローチャート
【図１６】用紙管理アプリケーションの画面および調整項目の設定画面を示す図
【図１７】用紙収納部に収納された用紙の用紙情報の表示フローチャート
【図１８】調整項目の設定画面を示す図
【図１９】用紙収納部に収納された用紙の用紙情報の表示フローチャート
【発明を実施するための形態】
【００１２】
（実施例１）
図１は、画像形成システム１００の構成を示すブロック図である。図１の画像形成システム１００は、印刷装置１０３と、印刷制御装置１０２を備えている。
【００１３】
そして、この画像形成システム１００は、クライアントコンピュータ１０１と通信可能に接続されている。クライアントコンピュータ１０１と印刷制御装置１０２とは、イーサネット（登録商標）ケーブル１０９を使用してＬｏｃａｌ  Ａｒｅａ  Ｎｅｔｗｏｒｋ（ＬＡＮ）１１０を介して通信可能に接続されている。また、印刷制御装置１０２と印刷装置１０３とは、画像ビデオケーブル１０７及び制御ケーブル１０８を介して接続されている。
【００１４】
本実施例では、印刷装置１０３は、ＬＡＮ１１０に直接接続されていない。印刷装置１０３とクライアントコンピュータ１０１は、印刷制御装置１０２を介して通信する。なお、印刷装置１０３は、ＬＡＮ１１０に直接接続されてもよい。
【００１５】
クライアントコンピュータ１０１は、アプリケーションを起動させて画像形成システム１００に印刷指示などを行う。
【００１６】
印刷制御装置１０２は、印刷装置１０３とともに画像処理を行う。印刷装置１０３は色々な機能を有する複合機である。印刷装置１０３は、クライアントコンピュータ１０１や印刷制御装置１０２からの画像処理を行うだけでなく、スキャナ１０４より読み込んだデータをコピーしたり、共有フォルダに送信したりすることが可能である。
【００１７】
スキャナ１０４で画像を走査する際は、操作部１０５にて各種キーを介して、ユーザから各種指示を受け付ける。また、操作部１０５はパネルを介して、スキャン状態などの各種情報を表示する。後処理装置１０６は画像が形成された用紙を受け取り用紙に対して後処理を行い排紙する。
【００１８】
長尺デッキ１１６は長尺用紙を収納可能なペーパーデッキを示し、１１７は手差しトレイ、１１８はインサータを示す。表示部１１１は、印刷制御装置１０２における情報を表示する。操作ボタン部１１２は印刷制御装置１０２のハードウェアの操作ボタンである。操作ボタン部１１２が操作されることで表示部１１１に表示されている情報の操作が行われる。表示部１１１に表示される情報は印刷制御装置１０２を操作する上で、最低限必要となる情報（電源操作やＩＰアドレスの確認）を表示する目的で使用される。
【００１９】
表示装置１１３は印刷装置１０３に含まれ、液晶モニタ等の装置である。キーボード１１４およびポインタデバイス１１５は、印刷制御装置１０２の操作に用いる。本実施例では、印刷制御装置１０２と印刷装置１０３とを別の装置とするが、印刷制御装置１０２の処理を印刷装置１０３の内部に包含し、印刷制御装置１０２を物理的に配置しなくてもよい。また、表示装置１１３がタッチパッドのような位置入力機能を含む構成であり、ポインタデバイス１１５の機能を備えている構成でもよい。
【００２０】
図２は印刷装置１０３のハードウェア構成を示すブロック図である。
【００２１】
ＣＰＵ（Ｃｅｎｔｒａｌ  Ｐｒｏｃｅｓｓｉｎｇ  Ｕｎｉｔ）２０１は、印刷装置１０３全体の動作を制御する。
【００２２】
ＬＡＮコントローラ２０６は、ＬＡＮに接続される。ＣＰＵ２０１はＬＡＮコントローラ２０６を介して印刷制御装置１０２との通信処理が可能となっている。
【００２３】
ＲＡＭ（Ｒａｎｄｏｍ  Ａｃｃｅｓｓ  Ｍｅｍｏｒｙ）２０２は、ＣＰＵ２０１の主メモリ、ワークエリア等として機能する。
【００２４】
記憶装置２１１は、ハードディスク（ＨＤＤ）、ソリッドステートドライブ（ＳＳＤ）、ＩＣカード等によって構成される。記憶装置２１１は、アプリケーションプログラム、フォントデータ、フォームデータ等を記憶したり、プリントジョブを一時的にスプールしたり、スプールされたジョブを外部から制御するためのジョブ格納領域として使用される。記憶装置２１１に記憶されたプログラムは、ＲＡＭ２０２にロードされＣＰＵ２０１により実行される。
【００２５】
また、記憶装置２１１は、ＢＯＸデータ格納領域としても使用され、スキャナ２１３から読み取った画像データやプリントジョブの画像データをＢＯＸデータとして保持したり、ネットワークから参照したり、印刷を行う。本実施例においては、記憶装置としてはＨＤＤを使用するものとし、ジョブログ、画像ログ等各種ログを保持する。
【００２６】
ディスクコントローラ（ＤＫＣ）２０８は、記憶装置２１１へのアクセスを制御する。ＲＯＭ（Ｒｅａｄ  Ｏｎｌｙ  Ｍｅｍｏｒｙ）２０３は、ブートＲＯＭとして機能し、印刷装置１０３のブートプログラムが格納される。
【００２７】
操作部２０５は、ソフトウェアキーまたはハードウェアキーを含んで構成され、ソフトウェアキーまたはハードキーをユーザが操作することで各種情報が入力される。
【００２８】
不揮発性メモリ２０９は、操作部２０５やネットワークを介して端末から設定される各種設定情報を記憶する。ビデオＩ／Ｆ２１４は印刷制御装置１０２から画像データを受信する。
【００２９】
ＬＡＮコントローラ２０６は、ＬＡＮに接続され、ＬＡＮを介して画像データ、および、その他の上方の入出力を行う。
【００３０】
印刷Ｉ／Ｆ２０７は、印刷部（以下、プリンタエンジン）２１０とＣＰＵ２０１に接続される。ＣＰＵ２０１は、印刷Ｉ／Ｆ２０７を介してプリンタエンジン２１０に出力情報としての画像信号を出力する。
【００３１】
読取Ｉ／Ｆ２１２は、スキャナ２１３とＣＰＵ２０１に接続される。ＣＰＵ２０１は、読取Ｉ／Ｆ２１２を介してスキャナ２１３から入力される画像信号を制御する。
【００３２】
ＣＰＵ２０１、ＲＡＭ２０２、ＲＯＭ２０３、ビデオＩ／Ｆ２１４、操作部２０５、ＬＡＮコントローラ２０６、印刷Ｉ／Ｆ２０７、ＤＫＣ２０８、不揮発性メモリ２０９、読取Ｉ／Ｆ２１２は、システムバス２０４に接続される。ＣＰＵ２０１は、システムバス２０４を介して各種のデバイスとのアクセスを制御する。
【００３３】
図３は印刷制御装置１０２のハードウェア構成を示すブロック図である。
【００３４】
ＣＰＵ３０１は、印刷制御装置１０２全体の動作を制御する。例えば、ＣＰＵ３０１は、用紙収納部を使用可とするか、または、使用不可とするかを制御する使用制御を行う。
【００３５】
ＬＡＮコントローラ３０６は、ＬＡＮに接続され、ＣＰＵ２０１はＬＡＮコントローラ３０６を介して印刷装置１０３との通信処理が可能となっている。
【００３６】
ＬＡＮコントローラ３０７は、ＬＡＮに接続され、ＣＰＵ２０１はＬＡＮコントローラ３０７を介してネットワーク上のクライアントコンピュータ１０１や印刷装置１０３との通信処理を可能としている。
【００３７】
ＲＡＭ（Ｒａｎｄｏｍ  Ａｃｃｅｓｓ  Ｍｅｍｏｒｙ）３０２は、ＣＰＵ３０１の主メモリ、ワークエリア等として機能する。
【００３８】
記憶装置３０９は、ハードディスク（ＨＤＤ）、ソリッドステートドライブ（ＳＳＤ）、ＩＣカード等によって構成される。記憶装置３０９は、アプリケーションプログラム、フォントデータ、フォームデータ等を記憶したり、プリントジョブを一時的にスプールしたり、スプールされたジョブを外部から制御するためのジョブ格納領域として使用される。記憶装置３０９に記憶されたプログラムは、ＲＡＭ３０２にロードされＣＰＵ３０１により実行される。
【００３９】
なお、スプールされたジョブはＲＩＰ（Ｒａｓｔｅｒ  Ｉｍａｇｅ  Ｐｒｏｃｅｓｓｏｒ）処理される。そして、記憶装置３０９は、ＲＩＰ処理された画像データを再度保存するためのジョブ格納領域として使用される。
【００４０】
ディスクコントローラ（ＤＫＣ）３０８は、記憶装置３０９へのアクセスを制御する。ＲＯＭ３０３は、ブートＲＯＭとして機能し、印刷装置１０３のブートプログラムが格納される。
【００４１】
操作部３０５は、操作ボタン部１１２および表示部１１１を含んで構成され、操作ボタン部１１２をユーザが操作することで各種情報が入力される。入力された情報は、表示部１１１に表示される。
【００４２】
ビデオＩ／Ｆ３１０は、印刷装置１０３へＲＩＰ処理された画像データを出力する。キーボードコントローラ（以下、ＫＢＣ）３１１は、キーボード１１４、マウス（登録商標）等のポインタデバイス１１５からの情報などの入力に係る処理を行う。
【００４３】
表示制御部３１２は、内部にメモリ（以下、ビデオメモリ）を有する。表示制御部３１２は、ＣＰＵ３０１から受けた指示に従いビデオメモリに画像データを保持し、保持された画像データをビデオ信号として表示装置１１３に出力する。
【００４４】
ＣＰＵ３０１、ＲＡＭ３０２、ＲＯＭ３０３、ビデオＩ／Ｆ３１０、操作部３０５、ＬＡＮコントローラ３０６、ＬＡＮコントローラ３０７、ＤＫＣ３０８、記憶装置３０９、ＫＢＣ３１１、表示制御部３１２は、システムバス３０４に接続される。ＣＰＵ３０１は、システムバス３０４を介して各種のデバイスとのアクセスを制御する。
【００４５】
図４は、印刷制御装置１０２のソフトウェア構成を示すブロック図である。これらのソフトウェアモジュールは、記憶装置３０９にプログラムとして格納されＣＰＵ３０１によってＲＡＭ３０２に読み出され実行される。
【００４６】
ＵＩ制御部１２０１は、操作部３０５および表示制御部３１２を介して、表示部１１１および表示装置１１３の表示制御を行う。また、操作ボタン部１１２、キーボード１１４、ポインタデバイス１１５で設定される各種設定情報の入力を制御する。
【００４７】
印刷ジョブ管理部１２０２は、ユーザから受け付けた印刷ジョブデータを管理する。具体的には、記憶装置３０９に保存された印刷ジョブデータの呼び出しや、ユーザによる印刷ジョブの設定変更の反映、印刷済みのジョブの履歴管理などの処理を行う。印刷ジョブ処理部１２０３は、ユーザから受け付けた印刷ジョブの解析、画像データの生成、画像圧縮伸長など印刷処理実行に必要な処理を行う。
【００４８】
データ送受信部１２０４は、印刷装置１０３との間の各種データの送受信を管理する。印刷ジョブ処理部１２０３によって生成された印刷ジョブデータはデータ送受信部１２０４により印刷装置１０３へと送信される。また、データ送受信部１２０４は、外部ネットワークを介して接続されるクライアントコンピュータ１０１とのデータ送受信も管理する。
【００４９】
用紙リスト表示部１２０５は、表示装置１１３に表示される用紙管理アプリケーションのトップ画面に用紙情報を用紙リストとして表示する。用紙管理アプリケーションとは印刷装置１０３で使うことのできる用紙の種類や大きさ、坪量等の特徴を管理し、それぞれの用紙について各調整項目を設定することが可能なアプリケーションである。ここで設定された各調整項目の値によって、印刷物の仕上がりを調整する。なお、各調整項目の値は、用紙情報として記憶装置３０９（ＨＤＤ）に記録される。
【００５０】
用紙リスト表示部１２０５は、表示対象となる用紙リストが更新される度に表示装置１１３の表示を切り替える。本実施例において、ユーザは用紙管理アプリケーションを用いて、どの用紙収納部にどの用紙情報の用紙を収納するかを設定することが可能である。
【００５１】
用紙リスト作成部１２１１は、用紙リスト表示部１２０５が表示する用紙リストを作成する。用紙リスト作成部１２１１はユーザが用紙情報を用紙収納部に登録した回数の多い順に表示する用紙リストを作成する。用紙リスト作成にかかる処理の詳細は後述する。
【００５２】
用紙登録履歴情報１２１３は、用紙データベースに記憶されている各用紙情報についてどの用紙情報をどの用紙収納部に何回登録したかを示す情報である。本情報は、用紙リスト作成部１２１１が用紙リスト作成する時に利用される。
【００５３】
用紙登録履歴情報管理部１２１２は、用紙登録履歴情報１２１３を管理する。たとえば、用紙登録履歴情報管理部１２１２はユーザが用紙リストから用紙情報を選択して、用紙収納部に登録したことに従って、用紙登録履歴情報１２１３を更新する。用紙データベース情報１２１４は、印刷装置１０３において利用可能な用紙の種類やサイズ、坪量等の用紙情報を記憶するデータベースである。本データベースは記憶装置３０９に記憶されている。
【００５４】
用紙データベース情報１２１４には、印刷装置１０３の製品仕様として予め登録されている用紙情報に加え、ユーザが用紙管理アプリケーションを用いて所定の操作を行い作成する用紙情報も記憶されている。また、印刷装置１０３においても同じ情報を記憶しており、印刷装置１０３または印刷制御装置１０２のいずれかのデータベースが更新されるとデータ送受信部１２０４を介して他方のデータベースも更新される。
【００５５】
用紙収納画面表示部１２０６は、図６の用紙収納部ボタン４０６〜４１１の表示を制御する。ユーザが用紙リストから用紙情報を選択し、用紙収納部に登録したことに従って、用紙収納ボタンに登録された用紙情報を表示する。
【００５６】
検知部１２０７は、図６の用紙管理アプリケーションのトップ画面４０１上でのポインタデバイス１１５などの操作部によるクリック動作を検知する。検知部１２０７はポインタデバイス１１５がクリックされたことを検出するとともに、クリックが行われた位置についての情報を取得する。
【００５７】
用紙設定可否取得部１２０８は、印刷装置１０３へ、ユーザが選択した用紙情報の用紙が各用紙収納部にセットできるか否かを問い合わせる。また、印刷装置１０３から、その問い合わせ結果を受信する。
【００５８】
用紙収納情報１２１０は、印刷装置１０３が備える用紙収納部に登録されている用紙情報を記憶する。用紙収納情報１２１０は各用紙収納部と、各用紙収納部に収納された用紙の用紙情報を対応づけて記憶している。たとえば、図６（ａ）に示すトップ画面４０１が表示装置１１３に表示されているとき、用紙収納情報１２１０は４０６の用紙収納デッキ１に片面コート紙、Ａ４、３００ｇｓｍ、白の用紙情報が登録されていることを記憶している。
【００５９】
用紙登録情報管理部１２０９は、ユーザからキーボード１１４およびポインタデバイス１１５の操作に応じて用紙収納情報１２１０を更新する。また、用紙収納情報１２１０が更新された際は、データ送受信部１２０４を介して、印刷装置１０３が持つ図５の用紙収納情報１３０６と同期する。
【００６０】
図５は、印刷装置１０３のソフトウェア構成を示すブロック図である。これらのソフトウェアモジュールは、記憶装置２１１にプログラムとして格納されＣＰＵ２０１によってＲＡＭ２０２に読み出され実行される。
【００６１】
ＵＩ制御部１３０１は、操作部２０５への表示および操作部２０５からの入力を制御する。印刷ジョブ解析部１３０２は、印刷制御装置１０２から受信する印刷ジョブのデータを解析する。印刷ジョブ処理部１３０３は、印刷ジョブに対して印刷装置１０３で必要な印刷処理を実行する。
【００６２】
印刷ジョブ実行部１３０４は、印刷ジョブに対する用紙収納、紙搬送、印字、排紙などの一連の印刷動作を制御する。印刷ジョブ実行部１３０４は、印刷ジョブ解析部１３０２の解析した使用する用紙の情報および、後述する用紙収納情報１３０６に基づいて、使用する用紙がセットされている用紙収納部を特定し、当該トレイから給紙を行う。データ送受信部１３０５は、印刷制御装置１０２との間のデータ送受信を制御する。
【００６３】
用紙収納情報１３０６は、印刷装置１０３が備える各用紙収納部と、各用紙収納部に登録されている用紙情報との関係を記憶したものである。用紙収納情報１３０６は、用紙管理アプリケーションを用いて設定される用紙収納情報１２１０と同期されることで情報が更新される。
【００６４】
用紙と用紙収納部の対応表１３０７は、用紙収納部と各用紙収納部にセットすることのできる用紙の関係を示す表である。
【００６５】
用紙登録可否判断部１３０８は、印刷制御装置１０２から問い合わせがあった場合に、用紙と用紙収納部の対応表１３０７を参照し、問い合わせのあった用紙を各用紙収納部にセットすることができるか否かを判断する。
【００６６】
用紙収納情報設定部１３１０は、各用紙収納部に登録されている用紙情報を記憶したり、各用紙収納部に登録されている用紙情報を取得したりするための処理を行う。
【００６７】
用紙登録履歴情報取得部１３０９は、印刷装置１０３において用紙収納情報１３０６が更新されるとその情報を取得し、印刷制御装置１０２へデータ送受信部１３０５を介して送信する。
【００６８】
用紙データベース情報１３１１は、前述の印刷制御装置１０２における用紙データベース情報１２１４と同じため説明を省略する。本データベースは記憶装置２１１に記憶されている。
【００６９】
データ取得部１３１２は、印刷装置１０３のＲＯＭ２０３や記憶装置２１１から印刷装置１０３のモデル情報やハードウェアオプション情報を取得する。取得された情報は印刷制御装置１０２からの要求に応じて、データ送受信部１３０５を介して印刷制御装置１０２に送信される。
【００７０】
図４、図５において用紙収納情報１２１０および用紙収納情報１３０６、用紙データベース情報１２１４および１３１１は印刷制御装置１０２および印刷装置１０３の両方に記憶されていることとした。しかし、用紙情報、用紙データベース情報はそれぞれ印刷制御装置１０２と印刷装置１０３のいずれかに記憶されていることとしてもよい。
【００７１】
図６を用いて、用紙管理アプリケーションの画面について説明する。図６は用紙管理アプリケーションが起動したときに表示装置１１３に表示されるトップ画面である。用紙管理アプリケーションは、ユーザが印刷制御装置１０２上で起動することにより動作する。
【００７２】
図６（ａ）は、印刷装置１０３の各用紙収納部に収納された用紙の用紙情報を表示した状態の画面である。図６（ｂ）は印刷装置１０３の各種調整項目を設定することが可能なボタンを表示した画面である。用紙管理アプリケーションのトップ画面は、ＣＰＵ３０１からの指示に従ってそのビデオメモリに描画すると共に、ビデオメモリに描画されたイメージデータをビデオ信号として表示装置１１３に出力され、表示される。
【００７３】
トップ画面４０１は用紙管理アプリケーションのトップ画面である。画面４０２は、デバイスタブ４０３、調整タブ４０４を用いて表示内容を変更することのできる画面である。ユーザがデバイスタブ４０３を押下すると、画面４０２に印刷装置１０３の用紙収納部にセットされた用紙の用紙情報を表示した図６（ａ）が表示される。
【００７４】
用紙管理アプリケーションが起動したときに、印刷制御装置１０２は印刷装置１０３のハードウェアオプション情報を取得し、このオプション情報に従い、正しい画像を表示する。
【００７５】
図６（ａ）では、用紙収納部として、複数の用紙収納デッキ（内部用紙収納デッキ）、長尺デッキ（外部用紙収納デッキ）、複数のインサータ、手差しトレイが複数取り付けられており、フィニッシャが取り付けられている状態を表している。
【００７６】
用紙収納部ボタン４０６、４０７はそれぞれ用紙収納デッキ１、用紙収納デッキ２の用紙収納部ボタンであり、用紙収納部ボタン４０８は長尺デッキの用紙収納部ボタンである。用紙収納部ボタン４０９は手差しトレイの用紙収納部ボタンであり、用紙収納部ボタン４１０、４１１はインサータ１、インサータ２の用紙収納部ボタンである。
【００７７】
用紙収納部ボタン４０６〜４１１は、各用紙収納部にセットされている用紙の用紙情報が表示され、トップ画面４０１に選択可能に表示される。用紙管理アプリケーションは起動した時に取得した印刷装置１０３の用紙収納部の情報を元に、用紙収納部ボタンを作成して配置する。
【００７８】
使用割当ボタン４１２は、用紙収納部ボタン４０６〜４１１のそれぞれに配置されている。使用割当ボタン４１２は、色が異なる使用割当ボタン４１２Ａの状態と４１２Ｂの状態とを有する。使用割当ボタン４１２Ａは、使用可状態を示し、使用割当ボタン４１２Ｂは使用不可状態を示している。
【００７９】
使用割当ボタン４１２をユーザが押下することで用紙収納部が使用可（使用割当ボタン４１２Ａの状態）か使用不可（使用割当ボタン４１２Ｂの状態）であるかを切り替えてもよい。
【００８０】
用紙リスト表示領域４１４は、用紙データベース情報１２１４に記憶されている用紙情報に基づく用紙リストを表示する領域である。
【００８１】
列に用紙のサイズや坪量などの用紙情報を表示し、行に用紙の種類を表示する。表示されている用紙の用紙情報以外を表示したい場合は、スライダーバー４１５を操作する。
【００８２】
また、表示されている用紙以外を表示したい場合は、スライダーバー４１６を操作する。デバイスタブ４０３を選択しているときは、用紙収納部にセットされている用紙の用紙情報と、用紙データベース情報１２１４に記憶されている用紙情報の一覧の両方を同時に確認することができる。
【００８３】
図６（ｂ）は用紙リスト表示領域４１４に表示される用紙情報について各調整項目の設定を行うための画面である。調整項目リスト４１７は各種調整項目の設定を行うためのボタンが配された領域である。印刷装置１０３で調整可能な調整項目が表示されている。スライダーバー４１８は、ユーザが操作することで現在表示されていない調整項目の設定を確認することができる。
【００８４】
ユーザは用紙管理アプリケーションのトップ画面を用いて用紙収納部に収納された用紙の用紙情報を登録する。ユーザはデバイスタブ４０３を選択する。ユーザは、ポインタデバイス１１５のカーソルを選択する用紙の用紙情報に合わせて押下する。選択することのできる用紙情報は、用紙リストに表示されている用紙情報または、用紙収納部ボタン４０６〜４１１に現在登録されている用紙情報である。
【００８５】
ユーザは、選択したい用紙情報にカーソルを合わせてポインタデバイス１１５のボタンを押したまま、用紙情報の用紙をセットする用紙収納部ボタンが表示されている位置までカーソルを動かす。カーソルが登録を行いたい用紙収納部ボタンの位置まで移動したのち、ユーザがポインタデバイスのボタンを離す。
【００８６】
このようにすることで、選択された用紙情報をユーザがポインタデバイスのボタンを離したときにカーソルが指示している用紙収納部に登録することができる。ユーザは用紙情報を用紙収納部に登録した後、用紙収納部に用紙情報に対応した用紙を収納する。
【００８７】
なお、用紙収納部が使用不可である状態をわかりやすくするために用紙管理アプリケーション上の用紙収納部ボタンの表示変更を行ってもよい。例えば、用紙収納部表示を変更し、用紙名称表示をグレーで表示することや、用紙収納部ボタンの色を薄いピンクなどで表示することである。
【００８８】
また、用紙収納部が使用不可である状態であっても、使用割当ボタン４１２が押下されたことにより使用不可になっている状態と、用紙収納部ボタンが選択され、用紙設定を行ったことによって使用不可になっている状態とを異なる表示としてもよい。
【００８９】
図７に印刷制御装置１０２が用紙管理アプリケーションを起動した際に行う処理を示す。図７のフローチャートに係る処理を実行するためのプログラムは、図３の記憶装置３０９に格納されており、ＲＡＭ３０２に読み出されＣＰＵ３０１によって実行される。
【００９０】
用紙管理アプリケーションが起動すると、ＣＰＵ３０１は用紙管理の対象となる印刷装置１０３のモデルを判別する（Ｓ５０１）。具体的には、印刷制御装置１０２は、印刷装置１０３と通信を行ってモデル情報を取得し、印刷制御装置１０２が予め保持しているモデル判別情報を元に、印刷装置１０３のモデルを判別する。
【００９１】
ステップＳ５０１の後、ＣＰＵ３０１は、印刷装置１０３の接続されているハードウェアオプション情報を判別する（ステップ５０２）。具体的には、印刷制御装置１０２は、印刷装置１０３と通信を行い、ハードウェアオプション情報を取得し、印刷制御装置１０２があらかじめ保持しているハードウェアオプション情報を元に、ハードウェアオプション情報の判別を行う。
【００９２】
ステップＳ５０２の後、ＣＰＵ３０１は、用紙管理の対象となる印刷装置１０３に接続されている用紙収納部の判別を行い、接続されている用紙収納部の数を特定する（Ｓ５０３）。
【００９３】
ステップＳ５０３の後、印刷制御装置１０２は、印刷装置１０３と通信を行いそれぞれの用紙収納部に設定されている用紙情報を取得する（Ｓ５０４）。
【００９４】
ステップＳ５０４の後、ＣＰＵ３０１は、画面４０５に表示する用紙収納部ボタン４０６〜４１１の情報を作成する（Ｓ５０５）。
【００９５】
ステップＳ５０５の後、ＣＰＵ３０１は、印刷装置１０３と通信を行って用紙リスト情報を取得する（Ｓ５０６）。用紙リスト情報は印刷装置１０３の記憶装置２１１に記憶されており、印刷装置１０３に記憶されている用紙リストは印刷制御装置１０２に記憶されている用紙リストと同期されている。
【００９６】
ステップＳ５０６の後、ＣＰＵ３０１は、用紙リスト表示領域４１４に表示する用紙リストを作成する（Ｓ５０７）。上記の方法以外でも、印刷制御装置１０２の表示装置１１３において表示する用紙リストが作成される処理が行われればよい。例えば、ステップＳ５０５において、データ送受信部１２０４は、印刷装置１０３と印刷制御装置１０２とに記憶されている用紙データベースを同期する。Ｓ５０６において、同期後の用紙データベースに基づいて用紙リスト作成部１２１１が用紙リストを生成することとしてもよい。
【００９７】
ステップＳ５０７の後、印刷制御装置１０２は、印刷装置と通信を行い、調整項目リスト４１７に含まれる調整ボタンを用いて各種調整項目の調整値を取得する（Ｓ５０８）。なお、調整値として、ユーザによって各調整項目の調整値を変更していないものを初期値（初期設定値）とする。そしてここでは、初期値に対して各調整項目の変更後の調整値（設定値）を取得している。ただし、初期値と、設定値をそれぞれ取得してもよい。また、調整値を調整することで初期値と同じ値にした場合には、それは設定値とする。
【００９８】
ステップＳ５０８の後、ＵＩ制御部１２０１は、取得した調整値に基づいて、調整項目リスト４１７に含まれる各調整ボタンに表示する文字列を作成する。ここでは例として、調整値として数値を表示するものや、調整の有無を表示する（Ｓ５０９）。
【００９９】
ＵＩ制御部１２０１は、（）内の情報を用いてＣＰＵ３０１のトップ画面４０１を作成する。トップ画面４０１は、具体的に、ステップＳ５０１、Ｓ５０２で取得した印刷装置１０３のモデル情報およびハードウェアオプション情報を含む。さらにトップ画面４０１は、ステップＳ５０５で作成した用紙収納部ボタン情報、ステップＳ５０７で作成した用紙リスト情報、ステップＳ５０９で作成した調整ボタン情報を含む。そして、作成したトップ画面４０１は、表示装置１１３に表示される（Ｓ５１０）。これにより、図６（ａ）、図６（ｂ）に示す画面が生成される。
【０１００】
なお、図６（ｂ）の調整項目リスト４１７は、行列状にリスト形式で表示される。そして調整項目リスト４１７には、初期値に対して変更後の調整値を取得している調整項目を行列の上位に表示してもよい。
【０１０１】
図８のフローチャートを用いて、印刷制御装置１０２が起動したときの印刷装置１０３の動作を説明する。図８のフローチャートに係る処理を実行するためのプログラムは、図２の記憶装置２１１に格納されており、ＲＡＭ２０２に読み出され、ＣＰＵ２０１によって実行される。印刷装置１０３は、起動することで処理を開始する。
【０１０２】
まず、印刷装置１０３は、自身のモデル情報を記憶装置２１１より取得し、返信可能なデータとして作成する（Ｓ６０１）。
【０１０３】
ステップＳ６０１の後、印刷装置１０３は、自身に接続されているハードウェアオプション情報を記憶装置２１１より取得し、返信可能なデータとして作成する（Ｓ６０２）。
【０１０４】
ステップＳ６０２の後、印刷装置１０３は、自身の用紙収納部情報に関する情報と、ステップＳ６０２で取得したハードウェアオプション情報から、用紙収納部情報のデータを作成する（Ｓ６０３）。
【０１０５】
ステップＳ６０３の後、印刷装置１０３は自身の用紙リスト情報を記憶装置２１１より取得し、返信可能なデータとして作成する（Ｓ６０４）。
【０１０６】
ステップＳ６０４の後、印刷装置１０３は自身の調整値を記憶装置２１１より取得し、返信可能なデータとして作成する（Ｓ６０５）。このとき印刷装置１０３は、調整値として印刷装置１０３で実施可能な調整項目すべてに対する調整値を取得する。なおここでは、初期値に対して各調整項目の変更後の調整値（設定値）を取得している。ただし、初期値と、設定値をそれぞれ取得してもよい。また、設定値を再び変更することで初期値と同じ値にした場合には、それは変更後の調整値とする。
【０１０７】
ステップＳ６０５の後、ステップＳ６０６にて印刷装置１０３は印刷制御装置１０２よりモデル情報の問合わせを受信したか否かを判断する。モデル情報の問合わせを受信した場合は、ステップＳ６０７に遷移する。モデル情報の問い合わせを受信しなかった場合は、ステップＳ６０８に遷移する。
【０１０８】
モデル情報の問合わせを受信した場合には、ステップＳ６０１で作成したモデル情報を印刷制御装置１０２に送信する（Ｓ６０７）。
【０１０９】
ステップＳ６０７の後、または、ステップＳ６０６でモデル情報の問合わせを受信しなかった場合に、印刷装置１０３は印刷制御装置１０２よりハードウェアオプション情報の問合せを受信したか否かを判断する（Ｓ６０８）。
【０１１０】
ステップＳ６０８において、ハードウェアオプション情報の問合せを受信していた場合はＳ６０９に遷移し、ハードウェアオプション情報の問合せを受信していなかった場合には、ステップＳ６１０に遷移する。
【０１１１】
ハードウェアオプション情報の問合せを受信していた場合、データ送受信部１３０５は、ステップＳ６０２で作成したハードウェアオプション情報を印刷制御装置１０２に送信する（ステップＳ６０９）。
【０１１２】
ステップＳ６０９の後、または、ステップＳ６０８でハードウェアオプション情報の問合せを受信していなかった場合に、印刷装置１０３は、印刷制御装置１０２より用紙収納部情報の問合せを受信したか否かを判断する（Ｓ６１０）。
【０１１３】
ステップＳ６１０において用紙収納情報の問合せを受信した場合には、ステップＳ６１１に遷移し、用紙収納情報の問合せを受信した場合にはステップＳ６１２に遷移する。このとき、用紙収納情報の問合せを受信した場合には、ステップＳ６０３で作成した用紙収納部情報を印刷制御装置１０２に送信し（Ｓ６１１）、ステップＳ６１２に遷移する。
【０１１４】
ステップＳ６１１の後、または、ステップＳ６１０において用紙情報の問合せを受信しなかった場合には、印刷装置１０３は印刷制御装置１０２より用紙リスト情報の問合せを受信したか否かを判断する（Ｓ６１２）。
【０１１５】
ステップＳ６１２で、用紙リスト情報の問合せを受信していた場合はＳ６１３に遷移し、用紙リスト情報の問合せを受信していなかった場合はＳ６１４に遷移する。
【０１１６】
用紙リスト情報の問合せを受信していた場合は、Ｓ６０４で作成した用紙収納部情報を印刷制御装置１０２に送信し（Ｓ６１３）、ステップＳ６１４に遷移する。
【０１１７】
ステップＳ６１３の後、または、ステップＳ６１２において用紙リスト情報の問合せを受信しなかった場合には、印刷装置１０３は印刷制御装置１０２より調整値情報の問合せを受信したか否かを判断する（Ｓ６１４）。
【０１１８】
ステップＳ６１４で、調整値情報の問合せを受信していた場合はＳ６１５に遷移し、調整値情報の問合せを受信していなかった場合はＳ６０６に遷移する。
【０１１９】
調整値情報の問合せを受信していた場合は、Ｓ６０５で作成した用紙収納部情報を印刷制御装置１０２に送信する（Ｓ６１５）。
【０１２０】
ステップＳ６１５の後、または、ステップＳ６１４において調整値情報の問合せを受信しなかった場合には、処理をＳ６０６にもどす。
【０１２１】
図９は用紙収納デッキ１の用紙設定画面である。用紙収納デッキ１の用紙設定画面は、ＣＰＵ３０１からの指示に従ってそのビデオメモリに描画すると共に、ビデオメモリに描画されたイメージデータをビデオ信号として表示装置１１３に出力され、表示される。
【０１２２】
画面７０１は用紙収納デッキ１の用紙収納部画面の初期画面である。画面７０１には、用紙情報表示領域７０２と、用紙リスト表示領域７０３と、割当ボタン７０４、用紙リスト更新ボタン７０５、閉じるボタン７０６が表示される。
【０１２３】
用紙情報表示領域７０２は現在選択されている用紙の設定情報を表示する。用紙収納部ボタン４０６を押下して、画面７０１が開いた時には、用紙収納デッキ１に現在割り当てられている用紙の情報が表示される。
【０１２４】
用紙リスト表示領域７０３は、印刷制御装置１０２と印刷装置１０３が管理している用紙情報をリスト化して表示する。用紙リスト表示領域７０３に表示された用紙リストから用紙を選択した場合は、選択された用紙の情報を用紙情報表示領域７０２に表示する。
【０１２５】
まず、用紙情報表示領域７０２の各入力項目について説明する。テキストフィールド７０７は用紙の名称を入力することが可能な領域である。テキストフィールド７０７に記載された名称を変更する場合は、テキストエリアにキーボード１１４等を使用して、文字を入力することが可能である。以降の説明では、入力時にキーボード１１４等を使用するといった説明は省略する。
【０１２６】
用紙リスト更新ボタン７０５を押下することで、印刷制御装置１０２、印刷装置１０３の用紙情報に変更した情報が反映される。以後、設定変更を行った場合においても同様である。
【０１２７】
テキストフィールド７０８は坪量を入力することが可能な領域である。操作に関してはテキストフィールド７０７と同様であるため説明を省略する。
【０１２８】
コンボボックス７０９は、用紙のサイズ情報を表示する領域である。リスト表示されたサイズ情報から所望のサイズを選択して、設定することが可能となる。コンボボックス７１０は、表面性情報を表示する領域である。コンボボックス７１１は、特長情報を表示する領域である。コンボボックス７１２は、色情報を表示する領域である。コンボボックス７１３は、両面２面目情報を表示する領域である。コンボボックス７１４は、スキ目情報を表示する領域である。コンボボックス７１０、７１１、７１２、７１３、７１４の操作に関してはコンボボックス７０９と同様であるため説明を省略する。
【０１２９】
設定領域７１５は、調整関連の設定をまとめて表示する領域である。ここでは、例として一部の調整項目を示した。図９のように設定領域７１５に調整項目が多数存在する際に、現在表示されていない調整の設定項目を確認する場合は、スライダーバー７１６を操作することで設定値を表示することが可能である。
【０１３０】
設定項目ボタン７１７は画像位置調整の設定を行うボタンであり、現在の用紙が既に調整済みかを表示する。すでに調整済みの場合は、調整ありと表示する。調整していない場合は、調整なしと表示する。設定項目ボタン７１７を押下することで、調整画面が開き、この調整画面で各種調整値を入力することが可能である。
【０１３１】
設定項目ボタン７１８は、カール補正の設定を行うボタンである。設定項目ボタン７１９は、サドル折位置の調整を行うボタンである。この設定項目ボタン７１９には、現在の調整値を例えばｍｍ単位で表示する。
【０１３２】
設定項目ボタン７２０はクリープ補正量の調整を行うボタンである。設定項目ボタン７２１は中とじ折位置の調整を行うボタンである。設定項目ボタン７２２は中とじ位置調整の調整を行うボタンである。設定項目ボタン７２３は二次転写電圧の調整を行うボタンである。設定項目ボタン７２４は先端部二次転写電圧の調整を行うボタンである。
【０１３３】
設定項目ボタン７２５は二次転写除電バイアスの調整を行うボタンである。設定項目ボタン７２６は一次転写電圧の調整を行うボタンである。設定項目ボタン７１８〜７２６の操作に関しては、設定項目ボタン７１７と同様であるため説明を省略する。
【０１３４】
次に、用紙リスト表示領域７０３について説明する。表７２７は用紙リストを表示する表である。列に用紙の用紙情報を行に用紙が設定され、行に各用紙情報が設定される。
【０１３５】
表示されている用紙の用紙情報以外を表示したい場合は、スライダーバー７２８を操作することで表示可能となる。
【０１３６】
また、表示されている用紙以外を表示したい場合は、スライダーバー７２９を操作することで表示可能となる。行７３０は用紙情報表示領域７０２に表示されている用紙のパラメータを示している。選択されていることが分かるように反転表示されている。
【０１３７】
行７３１〜７３３は、用紙情報表示領域７０２に表示されていない用紙のパラメータである。用紙リスト表示領域７０３の表７２７より、選択されていない行７３１〜７３３のいずれかを選択すると、用紙情報表示領域７０２に選択中の用紙の情報が表示される。この状態で、割当ボタン７０４を押下することで、用紙収納部１に新たに選択した用紙を割り当てることが可能となる。何も変更せずに終了する場合は、閉じるボタン７０６を押下する。
【０１３８】
図１０を用いて、本実施例の用紙管理アプリケーションの画面について説明する。ここでは、図６と異なる点について説明する。
【０１３９】
カーソル８０１は、ポインタデバイス１１５の座標位置を示すオブジェクトである。つまり、ユーザはポインタデバイス１１５を操作することでカーソル８０１を移動させる。
【０１４０】
画面４０２において、用紙収納部ボタン４０６がカーソル８０１に指示されると、指示された用紙収納部に収納された用紙の用紙情報の一部が表示される画面８０２が表示される。具体的には、例えば、カーソル８０１が、用紙収納部ボタン４０６の表示領域に入り、一定時間が経過されたことを印刷制御装置１０２が検知することで画面８０２が表示される。ここで、一定時間とは、０秒以上であればよく、カーソル８０１が表示領域に入った瞬間を含む。
【０１４１】
そして、画面８０２の矢印部分のように、カーソル８０１がどの用紙収納部を指示したことで画面８０２が表示されたことがわかるように表示したほうがよい。これにより、例えば、用紙収納部ボタンが密集して表示されている場合であっても、どの用紙収納部に収納された用紙の用紙情報を示した画面８０２であるかを視覚的に意識することが可能となる。
【０１４２】
また、本実施例において、カーソル８０１が用紙収納ボタンの領域に入って一定時間が経過しすることで画面８０２が表示される構成を示したがこれに限られない。例えば、カーソル８０１が用紙収納ボタンの領域に入ってから、キーボードの所定のキーを押下したり、ポインタデバイス１１５を右クリックしたり、ダブルクリックをする等の方法でもよい。
【０１４３】
さらに、本実施例において、カーソル８０１を用いたが、画面４０２がタッチパネルとなっており、例えばユーザが用紙収納部ボタン４０６を選択状態（押した状態）で一定時間が経過することで画面８０２を表示してもよい。ただし、ここでの一定時間は０秒を含まない。
【０１４４】
画面８０２は、用紙収納デッキ１に収納された用紙の用紙情報の一部を表示する画面である。用紙情報の一部として具体的には、用紙属性（用紙の表面性、サイズ、坪量、色など）と、後述の図１１で説明する複数の調整項目のうちユーザによって初期値（初期設定）から調整された調整項目とが、関連付けて表示される。画面８０２によれば、複数の調整項目のうち、調整された調整項目を強調して表示することが可能である。
【０１４５】
なお、ここで初期値から調整されたとは、初期値に対して、値の調整をしたあと、初期値と同じ調整値に戻した場合を含む。つまり、初期値と同じ調整値に戻した場合であっても、その調整値は初期値とはしない。なお、本実施形態では、画面８０２は、ポップアップ形式で表示されるものとするが、視覚的に意識できるように強調されていればスライド表示される画面であってもよいし、画面８０２として表示されずとも、メッセージとして表示されるものであってもよい。
【０１４６】
次に図１１を用いて、印刷の仕上がりを調整する複数の調整項目が表示された画面について説明する。図１１において、画面９０１に表示された画面９０２は、複数の調整項目と、各調整項目に対応したチェックボックス９０３、適用ボタン９０４と閉じるボタン９０５が表示されている。
【０１４７】
画面９０２は、ユーザによって調整値が初期値から調整された場合に、画面８０２において用紙情報の一部として初期値から調整された調整項目を表示するか否かの選択を受け付ける画面（表示受付画面）である。ユーザは、表示したい場合にチェックボックス９０３にチェックをつけ、表示しない場合にチェックボックス９０３にチェックをつけない。
【０１４８】
なお、図１１において、画面８０２への表示・非表示を切り替えられる構成を調整項目のみとして説明したが、用紙サイズ、坪量などの用紙属性についても適用してもよい。
【０１４９】
次に図１２のフローチャートを用いて、図１０の用紙管理アプリケーションの画面を表示する際の印刷制御装置１０２の動作を説明する。図１２のフローチャートに係る処理を実行するためのプログラムは、図２の記憶装置３０９に格納されておりＲＡＭ３０２に読み出され、ＣＰＵ３０１によって実行される。
【０１５０】
印刷制御装置１０２は、例えば印刷制御装置の起動処理が終わることでフローチャートを開始する。なお、フローチャートのスタートはこれに限られず、例えば図７のステップＳ５０８の処理の一環として行ってもよく、また、そのほかのタイミングで行ってもよい。
【０１５１】
ステップＳ１００１において、印刷制御装置１０２は、記憶装置３０９から用紙情報のうち、複数の調整項目の初期値を取得する。
【０１５２】
ステップＳ１００２において、印刷制御装置１０２は用紙収納部ボタンにカーソル８０１が合わせられたか否かを判定する。印刷制御装置１０２は、用紙収納部ボタンにカーソル８０１が合わせられたと判定した場合に、ステップＳ１００３に遷移する。用紙収納部ボタンにカーソル８０１が合わせられたと判定した場合とは、画面４０２において、カーソル８０１が例えば用紙収納部ボタン４０６の領域に入り、一定のしきい値を設けて経過時間を計測し、そのしきい値を超えた場合である。なお、ここでは、しきい値を超えた場合としたが、用紙収納部ボタン４０６の領域に入った瞬間であってもよい。
【０１５３】
一方、印刷制御装置１０２が、用紙収納部ボタンにカーソル８０１が合っていないと判定した場合には、ステップＳ１００２に戻り、用紙収納部ボタンにカーソル８０１が合わせられたと判定されるまで待機する。ここでは例として用紙収納デッキ１が選択されたものとして説明する。
【０１５４】
次にステップＳ１００３において、ＣＰＵ３０１は記憶装置３０９から用紙収納デッキ１に収納された用紙の調整項目の現在（所定の時点）の調整値を取得する。ステップＳ１００３を終えるとステップＳ１００４に遷移する。
【０１５５】
ステップＳ１００４において、ＣＰＵ３０１はステップＳ１００３で取得した用紙収納デッキ１に収納された用紙の現在の調整値と、ステップＳ１００１で取得した用紙収納デッキ１に収納された用紙の初期値とを比較する。
【０１５６】
ステップＳ１００５において、ＣＰＵ３０１は、ステップＳ１００４において取得した比較結果から調整値が初期値から調整された調整項目の有無を判定する。初期値から調整されている調整項目がある場合には、ステップＳ１００６に遷移する。
【０１５７】
ステップＳ１００６においてＣＰＵ３０１は、調整値が初期値から調整されている調整項目を取得する。
【０１５８】
ステップＳ１００７においてＣＰＵ３０１は、記憶装置３０９において、図１０の画面８０２に表示した用紙情報のうち非表示にする用紙属性があるか否かを判定する。ただし、ユーザは、図１１の画面９０１にて、初期値から調整された調整項目を画面８０２に表示するか否かを設定することが可能であるものとする。ここでは、例として図１１において調整項目にチェックがついているものを表示する設定としたが、逆でもよい。また、各項目において表示する調整項目か否かがわかれば調整項目にチェックをつける構成でなくてもよい。
【０１５９】
ステップＳ１００７において、記憶装置３０９において、図１０の用紙情報８０２に非表示にする用紙属性がない場合に、ＣＰＵ３０１はステップＳ１００９に遷移する。
【０１６０】
一方、ステップＳ１００７において、調整項目が初期値から調整されているが、画面８０２に表示した用紙情報において非表示とする調整項目があった場合、ステップＳ１００８に進み、ＣＰＵ３０１は調整項目の非表示処理を行う。
【０１６１】
次にステップＳ１００９に進み、ＣＰＵ３０１は、用紙のサイズや坪量などの用紙属性と、調整済みの調整項目とを、図１０の用紙情報８０２として表示可能な用紙情報とする。
【０１６２】
ステップＳ１０１１において、ＣＰＵ３０１は画面８０２を表示する。なお、ここで調整済みの調整項目のうち、ステップＳ１００８で非表示処理を行った調整項目は表示しない。そして、図１２のフローチャートが終了する。
【０１６３】
なおステップＳ１００５において、ＣＰＵ３０１はパラメータ調整済みの調整項目がない場合に、ステップＳ１０１０に遷移する。ステップＳ１０１０において、ＣＰＵ３０１は、用紙のサイズや坪量などの用紙属性のみを用紙情報として選択する。ステップＳ１０１０を終えると、ＣＰＵ３０１は、ステップＳ１０１１に遷移し、用紙情報を画面８０２に表示する。ステップＳ１０１１を終えると、フローチャートが終了する。
【０１６４】
なお、本実施例においては、ステップＳ１００７において、表示にするものがあるか否かを判定し、ステップＳ１００８において、調整済みの調整項目で、且つ、表示する調整項目の表示処理を行ってもよい。
【０１６５】
本実施例において、特定の用紙収納部を一時的に使用禁止にするために、用紙収納部に用紙が収納されていない場合に、ユーザがカーソル８０１を用紙収納部ボタンに合わせたときに使用禁止である旨が画面８０２に表示される構成であってもよい。
【０１６６】
以上のように、本実施例の構成によれば、調整値が設定された調整項目を取得して表示することで、所定の用紙に対して調整値が設定された調整項目を視覚的に意識することが可能な表示画面をユーザに提供することが可能である。
【０１６７】
（実施例２）
図１３〜図１５を用いて、本実施例の印刷制御装置について説明する。図１３を用いて、本発明の用紙管理アプリケーションの画面について説明する。ここでは、図１０と異なる点について説明する。
【０１６８】
本実施例は、複数の用紙収納部に同一の種類の用紙が設定されている構成を示している。ここでは、例として、同じ用紙属性の片面コート紙が、３か所の用紙収納部（用紙収納デッキ１、用紙収納デッキ２、手差し）に収納されている構成を示している。
【０１６９】
ここで、例えば３か所の用紙収納部のうち用紙収納デッキ１にカーソル８０１を合わせると、用紙収納デッキ１、用紙収納デッキ２、手差しにおいて、画面８０２、画面１１０６、画面１１０７が表示される。画面８０２、画面１１０６、画面１１０７には、それぞれ用紙情報が表示され、複数の調整項目のうち、調整された調整項目を強調して表示することが可能である。なお図１３では、表示される用紙情報のうち調整項目の表示が異なる構成を示したが同じものであってもよい。
【０１７０】
このように複数の用紙収納部に同一の種類の用紙が収納されている場合に、印刷制御装置１０２は、１つの用紙収納部ボタンにカーソル８０１を合わせただけで他の用紙収納部にも同じ用紙が収納されていることをユーザに通知することが可能である。
【０１７１】
さらに、同一の種類の用紙が収納されている用紙収納部に対して、各用紙収納部に収納された用紙の調整項目の調整状況を容易に確認することが可能である。
【０１７２】
そこで、本実施例では、実施例１に加え、複数の用紙収納部に同一の種類の用紙が設定されている時にそのうちの一つを示す用紙収納ボタンにカーソル８０１が合わせられた場合についての動作を記す。また、表示される調整属性の並び順を変更できる手順と、一定の条件下でカーソルを合わせた場合に表示される、当該給紙段に設定された用紙情報の内容を変更できる手順についても図１４、図１５を用いて説明する。
【０１７３】
図１４を用いて、印刷の仕上がりを調整する複数の調整項目が表示された画面について説明する。ここでは、図１１との異なる点についてのみ説明する。なお、画面１１０１は画面９０１、画面１１０２は画面９０２、適用ボタン１１０４は適用ボタン９０４、閉じるボタン１１０５は閉じるボタン９０５に対応する。
【０１７４】
図１４に示す画面１１０１は、画面８０２にて表示される、調整済みの調整項目の表示の並び順を受け付けるための画面（並び順受付画面）である。調整項目の画面１１０１は、画面１１０２を備える。
【０１７５】
画面１１０２には、各調整属性名と、その調整属性のパラメータが調整済みである場合に用紙属性８０２にその調整属性名を何番目に表示するか設定するテキストボックス１１０３が配置されている。
【０１７６】
図１４において、テキストボックス１１０３には表示の並び順を示す数字がユーザによって記入される。そしてＣＰＵ３０１は、調整済みの調整項目がある場合に、テキストボックス１１０３に記入された表示の並び順に従って、画面８０２に調整項目名を表示する。このとき、例えば画面８０２の枠の中で、テキストボックス１１０３で指定された並び順に上から調整項目を表示してもよいし、左から順に調整属性を表示してもよい。ただし、テキストボックス１１０３に表示の並び順の記入がない調整項目においては、並び順が記入された調整項目の後であればどのような並び順に表示してもよい。
【０１７７】
なお、本実施例では、画面８０２への表示順序を設定できるのは調整項目のみとしたが、用紙属性に対しても切り替え可能にしてもよい。また、図１１と図１４を併用してもよい。そのような構成においては、調整済みの調整項目の表示の並び順を設定し、且つ、表示または非表示を設定することが可能である。
【０１７８】
次に図１５のフローチャートを用いて、図１３の用紙管理アプリケーションの画面を表示するための印刷制御装置１０２の動作を説明する。図１５のフローチャートに係る処理を実行するためのプログラムは、図２の記憶装置３０９に格納されておりＲＡＭ３０２に読み出され、ＣＰＵ３０１によって実行される。なおＳ１００１〜Ｓ１０１１までの処理は、図１２と同様であるので説明を省略する。
【０１７９】
ステップＳ１４０１において、ＣＰＵ３０１は画面１１０２でユーザによって入力された用紙属性の表示の並び順情報を取得する。ステップＳ１４０１を終えると、ＣＰＵ３０１はステップＳ１４０２に遷移する。
【０１８０】
ステップＳ１４０２において、ポインタデバイス１１５がクリックされた状態で用紙収納部ボタンにカーソル８０１が指示されている場合は、Ｓ１０１１に遷移する。ステップＳ１０１１に遷移した後は、実施例１と同様である。
【０１８１】
ステップＳ１４０２において、ポインタデバイス１１５がクリックされていない状態で用紙収納部ボタンにカーソル８０１が指示された場合は、ステップＳ１００９に遷移する。そして、ステップＳ１００９においてＣＰＵ３０１は、用紙のサイズや坪量などの用紙属性と、調整済みの調整項目とを、図１３の画面８０２として表示可能な用紙情報とする。
【０１８２】
ステップＳ１４０３において、ＣＰＵ３０１は、ステップＳ１００２においてカーソル８０１が指示された用紙収納部に収納された用紙と、指示された用紙収納部以外の用紙収納部に収納された用紙が同一の種類の用紙か否かを判定する。ステップＳ１４０３において、カーソル８０１によって指示された用紙収納部に収納された用紙が、指示された用紙収納部以外の用紙収納部収納された用紙と同一の種類の用紙である場合に、ＣＰＵ３０１は、ステップＳ１４０４に遷移する。
【０１８３】
なおステップＳ１４０３において、カーソル８０１が合せられた用紙収納部以外の用紙収納部に同一の種類の用紙が設定されていない場合には、ステップＳ１０１１に遷移し、その後は実施例１と同様である。
【０１８４】
ステップＳ１４０４にて、ＣＰＵ３０１は、ステップＳ１００２においてカーソル８０１が指示された用紙収納部に収納された用紙と、当該用紙収納部に収納された用紙と同一の種類の用紙が収納されている用紙収納部と、の用紙情報を画面に表示する表示対象とする。その後、ステップＳ１０１１に遷移し、ＣＰＵ３０１は、図１３の画面８０４、１１０６、１１０７のように、複数の用紙収納部に対して調整項目を含む用紙情報を表示し、フローチャートを終了する。
【０１８５】
以上のように、本実施例の構成においても、調整値が設定された調整項目を取得して表示することで、所定の用紙に対して調整値が設定された調整項目を視覚的に意識することが可能な表示画面をユーザに提供することが可能である。
【０１８６】
なお、例えば図１３に示す矢印のように、画面８０４、画面１１０６、画面１１０７の各々が、どこの用紙収納部の用紙情報を示しているか認識しやすくしたほうがよい。
【０１８７】
また、本実施例のステップＳ１４０２では、ポインタデバイス１１５がクリックされた状態でカーソル８０１によって用紙収納ボタンが指示された場合に用紙属性を用紙情報として表示する処理を行うものとした。そして、ポインタデバイス１１５がクリックされていない状態でカーソル８０１によって用紙収納ボタンが指示された場合に用紙属性と調整済みの調整項目を用紙情報として表示する処理を行うものとした。このように、カーソル８０１によって用紙収納ボタンを指示する場合の条件を変更することで、表示内容を変えてもよい。
【０１８８】
なお、ステップＳ１４０２において、用紙収納ボタンをカーソル８０１によって指示する時の条件は上述した条件に限られない。例えばマウスの右クリックと左クリックを区別することで行う等でもよい。
【０１８９】
以上のことから、本実施例によると、印刷制御装置１０２において、同一の種類の用紙が設定された複数の用紙収納部に対し、画面遷移することなく、用紙属性と調整済みの調整項目を視覚的に意識することができる。
【０１９０】
さらに、画面８０２に調整済みの調整項目を表示する際に、表示順を所望の順番に変更することで、用紙収納部に収納されている用紙や、その用紙の調整属性の調整状況を把握するための操作性を向上することが可能である。
【０１９１】
（実施例３）
図１６〜図１７を用いて、本実施例の印刷制御装置１０２の用紙管理アプリケーションについて説明する。ここでは図６と異なる点について説明する。
【０１９２】
図１６（ａ）は、図６（ａ）に対して各用紙収納部に収納されている用紙において調整済みの調整項目の強調の仕方が異なる。
【０１９３】
メッセージフィールド１５０１は、用紙収納部に収納されている用紙において調整済みの調整項目を周知するために通知する領域である。メッセージフィールド１５０１は、用紙収納部に収納されている用紙において複数の調整項目のうち、調整された調整項目を強調して表示することが可能である
図１６（ａ）では、例として、メッセージがテキスト形式で表示されるものを示したが、調整項目の名前を挙げるだけ等でもよい。また、このテキストは固定長で表示されてもよく、また、文章が画面上を移動していく形式で表示させてもよい。
【０１９４】
なお図１６（ａ）では、メッセージフィールド１５０３を介して通知することで調整済みの調整項目を強調する構成を示したが、これに限られない。例えば、どの調整項目が調整済みか、印刷制御装置１０２が音声でユーザに通知することで調整済みの調整項目を強調する構成であってもよい。
【０１９５】
図１６（ｂ）は、用紙管理アプリケーションの用紙設定画面において、調整済みの調整項目を強調して表示する画面を示す図である。例えば図１６（ｂ）の「画像位置調整」と「二次転写電圧の調整」が調整済みであるとき、ＣＰＵ３０１は、枠線１６０１によってこの二つの調整項目のそれぞれの周囲を囲むことで、二つの調整項目が調整済みであることを強調して表示している。さらに、図１６（ｂ）では、二つの調整項目が調整済みであることをメッセージフィールド１６０２で強調して表示している。
【０１９６】
なお、ここでは枠線１６０１を用いて強調して表示しているが、これに限られない。例えば、未調整の調整項目を非表示、グレーアウトにしたり、調整済みの調整項目を表示する文字の色を変えたり、調整済みの調整項目の背景が光ったり、調整済みの調整項目名の横に特定のマークを付与したり等の構成としてもよい。
【０１９７】
また、用紙設定画面のメッセージフィールド１６０２には、どの調整項目がパラメータ調整済みか、テキストで表示されてもよい。
【０１９８】
次に図１７のフローチャートでは、図１６（ａ）、図１６（ｂ）の用紙管理アプリケーションの画面を表示する際の印刷制御装置１０２の動作を説明する。図１７のフローチャートに係る処理を実行するためのプログラムは、図２の記憶装置３０９に格納されておりＲＡＭ３０２に読み出され、ＣＰＵ３０１によって実行される。なおＳ１００１〜Ｓ１０１１までの処理は、図１２と同様であるので説明を省略する。
【０１９９】
ステップＳ１８０１において、ＣＰＵ３０１は、複数の用紙収納部の中でどの調整項目が調整済みかを、図１６（ａ）のメッセージフィールド１５０１、または／および、図１６（ｂ）のメッセージフィールド１６０２に表示し、ステップＳ１８０２に遷移する。
【０２００】
ステップＳ１８０２において、ＣＰＵ３０１は、ユーザによって所定の用紙収納ボタンが押されるまで待機する。所定の用紙収納ボタンが押されることで、ＣＰＵ３０１は、ステップＳ１００５に遷移する。
【０２０１】
ステップＳ１００５において、ＣＰＵ３０１は、ステップＳ１００４において取得した比較結果から調整値が初期値から調整された調整項目の有無を判定し、初期値から調整されている調整項目があると判断した場合には、ステップＳ１８０４に遷移する。
【０２０２】
ステップＳ１８０４において、ＣＰＵ３０１は、図１６（ｂ）の画面７０１において調整済みの調整項目を枠線１６０１で強調表示する表示処理を行い、ステップＳ１０１１に遷移する。
【０２０３】
ステップＳ１０１１において、ＣＰＵ３０１は画面８０２に用紙情報を表示し、フローチャートが終了する。
【０２０４】
一方、ステップＳ１００５において、ＣＰＵ３０１が初期値から調整されている調整項目がないと判断した場合には、ステップＳ１０１１に遷移し、ステップＳ１０１１を終えるとフローチャートが終了する。
【０２０５】
以上のように、本実施例の構成によっても、調整値が設定された調整項目を取得して表示することで、所定の用紙に対して調整値が設定された調整項目を視覚的に意識することが可能な表示画面をユーザに提供することが可能である。
【０２０６】
また、本実施例において、ＣＰＵ３０１はメッセージフィールド１５０１、１６０２を設け、且つ、枠線１６０１を配する構成を示したが、必ずしも併用する必要はない。例えば、メッセージフィールド１５０１を用い、枠線１６０１を用いない場合には、ステップＳ１８０１を行い、ステップＳ１００５とＳ１８０４を行わない。または、枠線１６０１を用い、メッセージフィールド１５０１、１６０２を用いない場合には、ステップＳ１８０１を行わず、ステップＳ１００５とＳ１８０４を行う。
【０２０７】
（実施例４）
図１８〜図１９を用いて、本実施例の印刷制御装置について説明する。
【０２０８】
図１８を用いて、本発明の用紙管理アプリケーションの画面について説明する。ここでは、図９と異なる点について説明する。
【０２０９】
図１８は、用紙管理アプリケーションの用紙設定画面において、調整済みの調整項目を各調整項目に対して、優先的に表示する画面を示す図である。設定領域１９１５は、調整項目の少なくとも一部を覆うことが可能な画面開閉領域１９０２と、画面開閉領域を閉状態（調整項目の少なくとも一部を非表示にする状態）と開状態（調整項目を表示する状態）とを制御する画面開閉ボタン１９０１を有する。
【０２１０】
本実施例では、用紙設定画面を開くと調整済みの調整項目を優先的に表示する。このような構成によれば複数の調整項目のうち、調整された調整項目を強調して表示することが可能である
なお、調整項目を常時表示するのではなく、必要な時に必要な調整項目を含んで表示する。例えば、「画像位置調整」と「二次転写電圧の調整」が調整済みであるとき、ＣＰＵ３０１は、設定領域１９１５に表示される調整項目の並び替えを行い、「画像位置調整」と「二次転写電圧の調整」を設定領域１９１５の一番上に表示する。（図１８（ａ））
図１８（ａ）の画面で、ユーザが画面開閉ボタン１９０１を押すと、画面開閉領域１９０２が閉状態となり、調整済みである「画像位置調整」と「二次転写電圧の調整」の下に表示された、未調整の調整項目が非表示となる（図１８（ｂ））。なお、画面開閉領域１９０２が閉状態のときに、画面開閉領域１９０２が覆う領域は、任意に設定することが可能である。例えば、未調整の調整項目の一部を覆わなくてもいいし、用紙リスト表示領域７０３を覆ってもよい。また、画面開閉領域１９０２が閉状態のときに、スライダーバー７１６は表示されてもされなくてもよい。
【０２１１】
なお、画面開閉ボタン１９０１は、例えば画面開閉領域１９０２が閉状態の場合を初期表示とし、画面開閉領域１９０２を開状態にした時に、例えば初期表示から右向きに９０°回転した向きにする。このように、画面開閉領域１９０２の状態によって、開閉ボタンの表示を変えてもよい。
【０２１２】
また、画面７０１において不要な調整項目を非表示にすることで、表示画面において表示可能な領域を増やすことが可能である。表示可能な領域には、例えば、消耗品などの別の情報や、色味調整の情報を表示すること等、その他の情報を表示することが可能となる。
【０２１３】
これにより、印刷制御装置１０２は、画面７０１において、用紙情報以外の情報をユーザに提供することが可能となる。
【０２１４】
次に図１９のフローチャートを用いて、図１８の用紙管理アプリケーションの画面を表示する際の印刷制御装置１０２の動作を説明する。図１９のフローチャートに係る処理を実行するためのプログラムは、図２の記憶装置３０９に格納されておりＲＡＭ３０２に読み出され、ＣＰＵ３０１によって実行される。なおＳ１００１〜Ｓ１０１１までの処理は、図１２と同様であるので説明を省略する。
【０２１５】
ステップＳ２００１において、ＣＰＵ３０１は、用紙収納部の用紙情報を表示するショートカットキーの組み合わせが、ユーザによって押されるまで待機する。つまり、ステップＳ１００４で取得した調整項目を、ユーザがショートカットキーを押すまで画面に表示しない。
【０２１６】
ステップＳ２００２において、ユーザによって所定の用紙収納ボタンが押されるまで待機する。所定の用紙収納ボタンが押されることで、ＣＰＵ３０１は、ステップＳ２００３に遷移する。
【０２１７】
ステップＳ２００３において、ＣＰＵ３０１は、ステップＳ１００４において取得した比較結果から調整値が初期値から調整された調整項目の有無を判定し、初期値から調整されている調整項目があると判断した場合には、ステップＳ２００４に遷移する。
【０２１８】
ステップＳ２００４において、ＣＰＵ３０１は、調整済みの調整項目が、設定領域１９１５において調整済みの調整項目が、複数の調整項目の群の上から順に並ぶように並び替える。具体的には図１８に示すように、複数の調整項目が行列状に並べられている場合に、調整済みの調整項目を１行目に並べる。ステップＳ２００４を終えると、ＣＰＵ３０１は、ステップＳ２００５に遷移する。
【０２１９】
ステップＳ２００５において、ＣＰＵ３０１は、用紙設定画面に調整済みの調整項目を表示する。このとき、画面開閉領域１９０２は閉状態であり、未調整の調整項目は表示されないものとする。ステップＳ２００５を終えるとＣＰＵ３０１は、ステップＳ２００６に遷移する。
【０２２０】
ステップＳ２００６において、ＣＰＵ３０１は、ユーザによって画面開閉ボタン１９０１が押されるまで待機する。画面開閉ボタン１９０１が押されると、ＣＰＵ３０１はステップＳ２００６からステップＳ２００７に遷移する。
【０２２１】
次にステップＳ２００７において、ＣＰＵ３０１は画面開閉領域１９０２を開状態とし、画面開閉領域１９０２によって非表示にされていた領域を開き、未調整の調整項目も表示する。ステップＳ２００７を終えると画面開閉線１９０２に沿って折りたたまれていた用紙設定画面を開き、未調整の調整属性も表示してフローを終了する。
【０２２２】
一方、ステップＳ２００３において、ＣＰＵが、初期値から調整されている調整項目がないと判断した場合にはステップＳ２００８に遷移する。
【０２２３】
ステップＳ２００８において、ＣＰＵ３０１は、用紙設定画面に調整項目を表示しない。この時、画面開閉領域１９０２は、閉状態であり、未調整の調整項目が表示されないものとしているからである。
【０２２４】
なお、図１９のステップＳ２００５〜Ｓ２００８において、用紙設定画面を開いた時の初期状態として、画面開閉領域１９０２が閉状態であり、未調整の調整項目が非表示にされた構成であるものとした。しかし、初期状態が、画面開閉領域１９０２が開状態（ステップＳ２００７）であってもよい。その場合には、ステップＳ２００７の後、ステップＳ２００６において、画面開閉ボタン１９０１がユーザに押されることで、画面開閉領域１９０２が閉状態となる。これにより、画面開閉領域１９０２が未調整の調整項目を非表示にする（ステップＳ２００５）。
【０２２５】
以上のように、本実施例の構成によっても、調整値が設定された調整項目を取得して表示することで、所定の用紙に対して調整値が設定された調整項目を視覚的に意識することが可能な表示画面をユーザに提供することが可能である。
【０２２６】
なお、本実施例で説明したフローは一例であり、これに限られない。例えば、用紙設定画面を拡大／縮小することによって、用紙設定画面の面積が変わることによって表示される調整項目の数を現行する際に調整済みの調整項目を表示するようにしてもよい。
【０２２７】
また本実施例では、ステップＳ２００１において、ユーザがキーボードのショートカットキーによる操作を行うことで、用紙管理アプリケーションのトップ画面にパラメータ調整済みの調整属性を表示する。これにより、給紙段に設定されている用紙や、その用紙の調整属性の調整状況を把握するための操作性を向上することが可能である。
【０２２８】
ただし、ステップＳ２００１はなくてもよいし、代わりに例えば携帯端末を印刷制御装置１０２にかざすことで調整済みの調整項目が表示されてもよい。また、調整済みの調整属性を通知する画面が定期的にポップアップ表示されてもよいし、ＣＰＵ３０１が用紙収納部の開閉を検知した場合に、調整済みの調整項目を表示する構成であってもよい。
【０２２９】
（その他の実施例）
以上、本発明の様々な例と実施例を示して説明したが、本発明の趣旨と範囲は、本明細書内の特定の説明に限定されるものではない。
【０２３０】
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０２３１】
１０２  印刷制御装置
１０３  印刷装置
４０６  用紙収納部ボタン
４０７  用紙収納部ボタン
４０８  用紙収納部ボタン
【図１】
2019010813.tif 000003
【図２】
2019010813.tif 000004
【図３】
2019010813.tif 000005
【図４】
2019010813.tif 000006
【図５】
2019010813.tif 000007
【図６】
2019010813.tif 000008
【図７】
2019010813.tif 000009
【図８】
2019010813.tif 000010
【図９】
2019010813.tif 000011
【図１０】
2019010813.tif 000012
【図１１】
2019010813.tif 000013
【図１２】
2019010813.tif 000014
【図１３】
2019010813.tif 000015
【図１４】
2019010813.tif 000016
【図１５】
2019010813.tif 000017
【図１６】
2019010813.tif 000018
【図１７】
2019010813.tif 000019
【図１８】
2019010813.tif 000020
【図１９】
2019010813.tif 000021